(57)【要約】【課題】本考案は、室内等に多目的に利用される、視覚的にスマートな防犯用の突っ張り棒を提供する。【解決手段】突っ張り棒（１）の内部に設けたバネＡＳＳＹ（２）の一端に、通電接点Ａ（３）を固定して設け、これに導通する通電接点Ｂ（４）と通電接点Ｃ（５）を、通電ブロック（６）に貫通させて固定して設け、さらに通電接点Ｂ（４）と通電接点Ｃ（５）のそれぞれ一端に配線（７）を接続固定して、この配線（７）を電池ボックス（８）の内部のプリント基板回路（９）に接続し、そしてプリント基板回路（９）にはさらに電池（１０）とブザー（１１）を回路に導通して固定接続して設け、最後に電源スイッチ（１２）を、スイッチレバーが突っ張り棒（１）の外に出るようにして取り付けて設け、最後に、音出穴付キャップ（１３）を固定装着する。【選択図】  図  １【実用新案登録請求の範囲】
【請求項１】
突っ張り棒（１）の内部に設けたバネＡＳＳＹ（２）の一端に、通電接点Ａ（３）を固定して設け、これに導通する通電接点Ｂ（４）と通電接点Ｃ（５）を、通電ブロック（６）に貫通させて固定して設け、さらに通電接点Ｂ（４）と通電接点Ｃ（５）のそれぞれ一端に配線（７）を接続固定して、この配線（７）を電池ボックス（８）の内部のプリント基板回路（９）に接続し、そしてプリント基板回路（９）には電池（１０）とブザー（１１）を回路に導通して、固定接続して、さらに電源スィッチ（１２）を、スイッチレバーが突っ張り棒（１）の外に出るようにして取り付けて設け、最後に、音出穴付キャップ（１３）を固定装着してなる、防犯報知器内蔵の突っ張り棒。
【考案の詳細な説明】
【技術分野】
【０００１】  本考案は、突っ張り棒の内部に防犯ブザー等を設けた、技術に関するものである。
【背景技術】
【０００２】  従来、室内で利用される突っ張り棒は、窓辺のカーテン吊下げ用に、洋服ハンガー吊下げ用横棒として、また風呂場のタオル掛け用横棒等、多目的に利用される事が、大変多くなった。とくにネジ止め等で施工する必要がないからである。
【考案の開示】
【考案が解決しようとする課題】
【０００３】  室内で突っ張り棒（１）を使用する場合は、洋服掛けハンガーの横棒として、またインテリア類を吊るす横棒として、これら重量の掛かる部分にも使われるようになったが窓辺のカーテン用等にも手軽に利用される事が多くなった。こうした中で近年、空巣被害が増加の一途を辿っており、突っ張り棒（１）がその最前線で遭遇する機会が多いと見て、防犯兼用の突っ張り棒（１）の開発を進める。【０００４】  最近は、各種防犯装置が開発されているが、特開平１０−２８０７７８に見られるように、サッシ窓等の閉じた引き戸のレール溝上へ、突っかい棒のアングルの一端にブザー等の警報装置をセットしたもので、警報装置の押ボタンが出ており、カギを外されて引き戸を開けようとすると、押ボタンＯＮで警報音が発する構造のものがある。【０００５】  また、現時点では公開公報等で見れないようだが、市場では「棒ｄｅガード」なるものが市販されてきてるが、これは突っ張り棒と警報装置が別個になっており、突っ張り棒と窓枠の端面に警報装置を挟み込み、突っ張り棒が外れると、警報装置の警報音が鳴る構造である。別々の為、その扱いや管理が面倒で、インテリアとして不向きであった。  本考案は、このような問題を改善する為になされたものである。
【課題を解決するための手段】
【０００６】  突っ張り棒（１）の内部に取り付けられている、バネＡＳＳＹ（２）の一端へ、通電接点Ａ（３）を固定して設ける。そしてこの前記接点Ａと導通させる、通電接点Ｂ（４）および通電接点Ｃ（５）を通電ブロック（６）に、それぞれ貫通させて、それぞれの一端を、前記ブロックの反対側に少し出た状態で固定して設ける。つまりこの通電接点Ａ（３）と通電接点Ｂ（４）、通電接点Ｃ（５）は突っ張り棒（１）が突っ張っている状態では、接点同士が離れる構造に設けてある。さらに前記接点Ｂと前記接点Ｃの一端に配線（７）を接続固定して、配線（７）の一方を、突っ張り棒（１）の電池ボックス（８）の内部に設けた、プリント基板回路（９）に接続する。このプリント基板回路（９）には電池（１０）とブザー（１１）を回路に導通して接続固定して設ける。最後に電源スイッチ（１２）をスイッチレバーが、突っ張り棒（１）の外部にだして操作出来るようにして前記回路に固定し、さらに棒末端に、これら全体を保護する意味も含めて、音出穴付キャップ（１３）を装着する。【０００７】  本考案は、特開２００１−１１２５６１（弾性伸縮棒）の出願人・発明者が、これに防犯用報知装置を内蔵したもので、見た目には同様の突っ張り棒であるが、構造が異なるだけでなく使用目的が大きく異なり、防犯器具として開発されたものである。
【考案の効果】
【０００８】  １．突っ張り棒の内部に、報知器のブザー等が内蔵されているので、外観からは普通の突っ張り棒としか判別出来ず、窓際にカーテンレール横棒として使用されている場合は、侵入犯にも気ずかれず、これに触れて突っ張り棒が外れると、１３０デシベル以上の大音量の防犯ブザーが鳴り響く完全な防犯器具になった
２．突っ張り棒を普通にセットするだけだから、多目的にいろいろな場所に、簡単に取付ける事が出来る。
３．本突っ張り棒は、室内にて視覚的にスマートで、すっきりした美観を提供する。
【考案を実施するための最良の形態】
【０００９】  図１で示す通り、本考案は突っ張り棒（１）の内部にある、バネＡＳＳＹ（２）の伸び縮みにより、動く端面に通電接点Ａ（３）を固定して設ける。これに導通せしめる、通電接点Ｂ（４）と通電接点Ｃ（５）を通電ブロック（６）に貫通させて固定し設ける。突っ張り棒（１）は、伸縮稼働側と固定側の２本構造に分かれており、この通電ブロック（６）は、固定側に設けられている。つまり、突っ張り棒（１）が突っ張っている時はバネＡＳＳＹ（２）が縮むので、これら通電接点は離れており、電流が導通されない状態にあり、防犯のブザー（１１）は電気的に遮断されている状態で、防犯侵入に対してスタンバイしている。しかし、侵入者により、この突っ張り棒（１）が外されると、（防犯用であるので外れやすく作られている）バネＡＳＳＹ（２）がリバンドで伸びて戻るので、これら通電接点が強く接触して、導通する。この導通により、防犯のブザー（１１）にスイッチが入り、１３０デシベルの大音量で、ブザーが鳴るのである。さらに、通電接点Ｂ（４）と通電接点Ｃ（５）に配線（７）を接続固定して、突っ張り棒（１）の内部の固定側の端に設けた、電池ボックス（８）の中の、プリント基板回路（９）に、その配線（７）の反対一端を接続固定する。この電池ボックス（８）の内部には、さらに電池（１０）とブザー（１１）が、前記回路に導通して固定されて設ける、ブザー（１１）は、突っ張り棒（１）の内部から外部に報知音が良く聞こえるように、一番外よりの端面に設ける。そして最後に、このブザー（１１）のメインスイッチとしての電源スイッチ（１２）を、突っ張り棒（１）の外部にスイッチレバーだけ突出させて、前記回路に導通させて固定し、最後にこれらを収めた棒末端に、ブザー音を外に発する、音出穴付キャップ（１３）を装着する。
本考案は以上のような構成であり、これを使用せんとするときには、【００１０】  窓辺の桟等に少し長めに合わせて、突っ張り棒（１）を縮めてロックする。そして電源スイッチ（１２）を入れるだけでセット終了である。もし、侵入者が突っ張り棒（１）を知らずに外したりすると、内蔵のバネＡＳＳＹ（２）のコイルバネの押圧力で、ブザー（１１）が導通して、１３０デシベルの防犯報知音が鳴り響くのである。とくに、突っ張り棒（１）は室内装飾に於ける、ハンガー吊下用に、カーテンレールや、その他小さい鑑賞プランタン等に使用して多目的でカモフラージュ兼ねると良い。【００１１】    また、突っ張り棒（１）は多目的に使用されるが、本考案によればベストモードとしては、防犯  専用の突っ張り棒としてもっと細棒を利用したものが考えられる。これは突っ張り棒の先端を一部分とした、防犯報知装置が突っ張り棒に一体に、外づけで形成されているものである。
【図面の簡単な説明】
【００１２】
【図１】    本考案の実施前の断面図である。
【図２】    本考案の実施図である。
【図３】    本考案の突っ張り状態での接点説明図である。
【符号の説明】
【００１３】    １  突っ張り棒
２  バネＡＳＳＹ
３  通電接点Ａ
４  通電接点Ｂ
５  通電接点Ｃ
６  通電ブロック
７  配線
８  電池ボックス
９  プリント基板回路
１０  電池
１１  ブザー
１２  電源スイッチ
１３  音出穴付キャップ
【図１】
0003107580.tif 000002
【図２】
0003107580.tif 000003
【図３】
0003107580.tif 000004